(57)【要約】  【課題】キースイッチが取り付けられる集合玄関機において、取付構造を異にする複数種類のキースイッチを取付可能とする。  【解決手段】キースイッチが取り付けられる集合玄関機１００において、集合玄関機カバー１の裏面１ａに、反転取付可能に且つ着脱自在に取り付けられる断面コ字状の取付アダプタ７を設け、又、集合玄関機カバー１のキースイッチ用開孔部６の左右に、集合玄関機カバー１の裏面１ａより立設させて、取付アダプタ７の固定片８を設ける。  【選択図】  図３
2006283411.tif 000002
【特許請求の範囲】
【請求項１】
キースイッチが取り付けられる集合玄関機において、集合玄関機カバー裏面に、反転取付可能に且つ着脱自在に取り付けられる断面コ字状の取付アダプタを設けることを特徴とする集合玄関機。
【請求項２】
該集合玄関機カバーのキースイッチ用開孔部の左右に、該集合玄関機カバー裏面より立設させて、該取付アダプタの固定片を設けたことを特徴とする請求項１記載の集合玄関機。
【請求項３】
該固定片の立設位置を、該取付アダプタを使用しない取付構造を有するキースイッチの取付スペースを避けた位置としたことを特徴とする請求項２記載の集合玄関機。
【発明の詳細な説明】
【技術分野】
【０００１】
この発明は、キースイッチが取り付けられる集合玄関機に関する。
【背景技術】
【０００２】
集合住宅等において共同玄関扉等の手前に設置される集合玄関機には、自動施開錠装置の手動施開錠用のキースイッチが取り付けられている。集合玄関機用キースイッチは、一般に逆マスターキーと呼ばれ、その集合玄関機が設置される集合住宅における各住戸に固有の鍵の何れによっても施開錠可能なものである必要がある。
【０００３】
又、集合玄関機用キースイッチの集合玄関機への取付構造は、メーカによって或いは品番によって種々のものがある。従って、集合玄関機はキースイッチの取付構造に応じて種々のものを用意する必要がある。
【発明の開示】
【発明が解決しようとする課題】
【０００４】
特開２０００−２６９６６５号公報（特許文献１）は、キーシリンダ部の外形を異にする複数種類のキースイッチを１種類の集合玄関機に取付可能とする技術を開示している。しかしながら、当該特許文献１に開示の集合玄関機は、キーシリンダ部の外形を異にする複数種類のキースイッチには対応するが、取付構造を異にする複数種類のキースイッチには対応することができない。
【０００５】
【特許文献１】特開２０００−２６９６６５号公報
【０００６】
上記事情に鑑み、この発明は、キースイッチが取り付けられる集合玄関機において、取付構造を異にする複数種類のキースイッチを取付可能とすることを目的とする。
【課題を解決するための手段】
【０００７】
この発明は、キースイッチが取り付けられる集合玄関機において、集合玄関機カバー裏面に、反転取付可能に且つ着脱自在に取り付けられる断面コ字状の取付アダプタを設けることを特徴とする集合玄関機である。
【０００８】
又、この発明は、前記集合玄関機において、該集合玄関機カバーのキースイッチ用開孔部の左右に、該集合玄関機カバー裏面より立設させて、該取付アダプタの固定片を設けたことを特徴とする集合玄関機である。
【０００９】
又、この発明は、前記集合玄関機において、該固定片の立設位置を、該取付アダプタを使用しない取付構造を有するキースイッチの取付スペースを避けた位置としたことを特徴とする集合玄関機である。
【発明の効果】
【００１０】
この発明によれば、取付アダプタを断面コ字状に形成された板状部材とし、更に取付アダプタを反転取付可能としたので、取付アダプタの取付方向を反転させることで、集合玄関機への取付構造を異にする他のキースイッチを取付可能にすることができ、例えば、コ字状の取付アダプタの脚部を集合玄関機カバー裏面に向けて取り付ける場合は、取付アダプタの天板部は集合玄関機カバー裏面より離間することとなるので、その状態に適合する取付構造を有するキースイッチの取り付けが可能であり、又、取付アダプタの取付方向を反転させて、コ字状の取付アダプタの天板部を集合玄関機カバーに向けて取り付ける場合は、取付アダプタの天板部は集合玄関機カバー裏面に着接するので、その状態に適合する取付構造を有するキースイッチの取付が可能であり、更に、取付アダプタを取り外した場合は、取付アダプタを使用しない取付構造を有するキースイッチの取付が可能であり、又他の取付アダプタを使用する取付構造を有するキースイッチの取付も可能であり、即ち、一種の集合玄関機カバーに対し異なる取付構造を有する複数種類のキースイッチの取付が可能である。
【００１１】
更に、この発明によれば、取付アダプタの天板部が集合玄関機カバー裏面より離間した状態に適合する取付構造を有するキースイッチの場合、本来は集合玄関機カバーの裏面に円柱状の取付ボスが必要であるが、取付アダプタで代用することができるので、取付ボスがなくとも取付は可能である、即ち取付ボスをなくすことが可能である。取付ボスは、集合玄関機カバーの樹脂成型の際に、集合玄関機カバー表面に”ヒケ”を生じさせることがあり、集合玄関機カバーの品質を低下させることがある部材であるので、品質管理上それを無くすことができるのはとても有益である。
【００１２】
更に、この発明によれば、固定片の立設位置を、取付アダプタを使用しない取付構造を有するキースイッチの取付スペースを避けた位置とすることで、固定片があったとしても、取付アダプタを使用しない他の取付構造を有するキースイッチの取付が可能となる。
【発明を実施するための最良の形態】
【００１３】
この発明の実施の形態を添付図１乃至図１３に基づき説明する。尚、図１は、この発明の集合玄関機を構成するカバー及び本体の分解斜視図であり、図２は同上のカバーの背面図であり、図３は同上の第１の態様におけるカバー及びキースイッチの分解斜視図であり、図４は同上のキースイッチが取り付けられた状態における背面斜視図であり、図５は同上の第２の態様における図３に相当する図であり、図６は同上の第２の態様における図４に相当する図であり、図７は同上の第３の態様における図３に相当する図であり、図８は同上の第３の態様における図４に相当する図であり、図９は同上の第４の態様における図３に相当する図であり、図１０は同上の第４の態様における図４に相当する図であり、図１１は同上の第５の態様におけるカバー、キースイッチ及び本体の分解斜視図であり、図１２は同上の第５の態様におけるキースイッチが取り付けられた状態のキースイッチ取付部分のカバー及び本体を含む一部拡大縦断面図であり、図１３は同上の第５の態様におけるキースイッチが取り付けられた状態の本体の背面斜視図である。
【００１４】
図１及び２において、１は集合玄関機カバーであり、テンキー装置２やスピーカボックス３等を有する集合玄関機本体４と共に集合玄関機１００を構成するものである。尚、集合玄関機１において、５はテンキー装置のキートップ部、６はキースイッチ用開孔部であり、８，８は、キースイッチ用開孔部６の左右に立設された後記する取付アダプタ７の固定用の固定片である。この固定片８はできるだけ離して設けることが好ましく、離すことでキースイッチ取り付け時にかかる力を分散することができる。
【００１５】
この発明の集合玄関機は、取付構造を異にする複数種類のキースイッチが取付可能な構成となっている。以下、キースイッチの取付構造毎にその取り付けの態様を説明をする。
【００１６】
[第１の態様]
第１の態様を図３及び図４に基づき説明する。第１の態様は、断面コ字状の板状部材よりなる取付アダプタ７を介してキースイッチ１０がカバー１に取り付けられる場合を示している。
【００１７】
取付アダプタ７は、第１の態様においては、脚部７ａ，７ａがカバー１の裏面１ａに向けて取り付けられており、脚部７ａ，７ａの外側面に隣接し、カバー１のキースイッチ用開孔部６の左右に、カバー１の裏面１ａより立設された固定片８，８によりネジ８ａ，８ａ止めされて固定されている。キースイッチ１０は、前記の如き態様でカバー１に取り付けられる取付アダプタ７を介してカバー１に取付可能な構造を有しており、即ち、キースイッチ１０は、キーシリンダ部１０ａと本体１０ｂとからなり、本体１０ｂが取付アダプタ７の天板部７ｃに取り付けられて、ネジ１０ｃ，１０ｃ及びナット１０ｄ，１０ｄにより固定され、キーシリンダ部１０ａがカバー１の表側からキースイッチ用開孔部６より取付アダプタ７の中央開孔部７ｄを介して本体１０ｂにねじ込まれて固定されることで、カバー１に取り付けられている。
【００１８】
[第２の態様]
第２の態様を図５及び図６に基づき説明する。第２の態様は、第１の態様と同様に取付アダプタ２が使用されるものではあるが、取付アダプタ２のカバー１への取付方向が反転されて使用されるものであり、それによりキースイッチ２０がカバー１に取り付けられる場合を示している。
【００１９】
取付アダプタ７は、第２の態様においては、天板部７ｃの表面側がカバー１の裏面１ａに向けて取り付けられている。尚、第１の態様と同様に、取付アダプタ７は固定片８，８により固定されている。キースイッチ２０は、前記の如き態様で取り付けられる取付アダプタ７を介してカバー１に取付可能な構造を有しており、即ち、キースイッチ２０は、キーシリンダ部２０ａ、本体２０ｂ、六角ナット２０ｃ、パッキン２０ｄ、回転防止具２０ｅ等からなり、回転防止具２０ｅが取付アダプタ７の中央開孔部７ｄ内に嵌め込まれ、本体２０ｂのネジ部には六角ナット２０ｃとパッキン２０ｄが順次組み込まれており、その本体２０ｂが回転防止具２０ｅの開孔部２０ｆ内に挿入され、そしてカバー１のキースイッチ用開孔部６より表側に出ている本体２０ｂのネジ部にキーシリンダ部２０ａがねじ込まれると共に、カバー１の裏側において六角ナット２０ｃが締め込まれて固定されることで、カバー１に取り付けられている。
【００２０】
[第３の態様]
第３の態様を図７及び図８に基づき説明する。第３の態様は、第１及び２の態様と異なり、取付アダプタ７がカバー１には取り付けられておらず、即ち取付アダプタ７は使用されずに、キースイッチ３０がカバー１に取り付けられる場合を示している。
【００２１】
キースイッチ３０は、取付アダプタ７を使用せずともカバー１に取付可能な構造を有している。即ち、キースイッチ３０は、キーシリンダ部３０ａを有する本体３０ｂ、六角ナット３０ｃ、パッキン３０ｄ、回転防止具３０ｅ及びキーリング３０ｆ等からなり、本体３０ｂのキーシリンダ部３０ａに、六角ナット３０ｃ、パッキン３０ｄ、回転防止具３０ｅが順次組み込まれており、その組品がカバー１の裏面１ａ側よりキースイッチ用開孔部６に挿通され（ここで回転防止具３０ｅの爪部３０ｇはキースイッチ用開孔部６の上部切欠き６ａに配置されている）、カバー１の表側に出ているキーシリンダ部３０ａにキーリング３０ｆがねじ込まれると共に、カバー１の裏側において六角ナット３０ｃが締めこまれることで、カバー１に取り付けられている。
【００２２】
[第４の態様]
第４の態様を図９及び図１０に基づき説明する。第４の態様は、第３の態様と同様に、取付アダプタ７は使用されずに、キースイッチ４０がカバー１に取り付けられる場合を示しているが、この態様におけるキースイッチ４０は、キーを差し込まずに施開錠ができる非接触式のものとなっている。即ち、キースイッチ４０は、センサ部４０ａ、ハーネスの挿通孔を有する樹脂製の取付板４０ｂ及び受信部４０ｃ等からなり、取付板４０ｂが固定片８，８の間に配置され、カバー１の表側に配置されるセンサ４０ａが取付板４０ｂ側より取付板４０ｂに挿通されるセンサ固定ネジ４０ｄ，４０ｄによりカバー１に固定され、受信部４０ｃが取付板４０ｂ上に受信部固定ネジ４０ｅ，４０ｅにより固定されることで、カバー１に取り付けられている。
【００２３】
[第５の態様]
第５の態様を図１１乃至図１３に基づき説明する。第５の態様は、第４の態様と同様に、非接触式のキースイッチ５０が取り付けられる場合を示しているが、この態様におけるキースイッチ５０は、その受信部５０ｃが集合玄関機本体４側に取り付けられるものとなっている。即ち、キースイッチ５０は、センサ部５０ａ、センサ部固定具５０ｂ、受信部５０ｃ、受信部固定具５０ｄ等からなり、センサ部固定具５０ｂが固定片８，８の間に配置され、カバー１の表側に配置されるセンサ部５０ａが固定具５０ｂ側よりそれに挿通されるセンサ部固定ネジ５０ｅ，５０ｅ，５０ｅ，５０ｅによりカバー１に固定されて取り付けられており、一方受信部５０ｃは受信部固定具５０ｄにより本体４の受信部取付部４ａに取り付けられており、即ち、受信部５０ｃはその受信部表面５０ｆが固定具５０ｄの開口部５０ｇより臨む状態で固定具５０ｄにかしめにより固定され、固定具５０ｄは、受信部５０ｃが本体４に形成された受信部取付部４ａに形成された開口部４ｂより本体４の背面側に位置する如き状態で受信部取付部４ａに取付ネジ５０ｈ，５０ｈにより固定されて取り付けられている。
【００２４】
上記第３乃至５の態様において、即ち第１及び第２の態様における取付アダプタ７を使用しない態様において、カバー１には取付アダプタ７用の固定片８，８はあるものの、その固定片８，８は、取付アダプタ７を使用しない取付構造を有するキースイッチ（例えば上記キースイッチ３０，４０，５０等）がカバー１の裏面１ａ上にその取り付けの際に占有するスペースを避けた位置に設けられており、即ち、固定片８，８は、取付アダプタ７を使用しない取付構造を有するキースイッチを取り付ける場合でも、その取り付けの邪魔になることはない。従って、カバー１は、固定片８，８があっても、それに固定される取付アダプタ、即ち取付アダプタ７を使用しないで取付可能な構造を有するキースイッチ（例えば上記キースイッチ３０，４０，５０）であっても取付可能となっている。
【００２５】
上記の様に、この発明の集合玄関機は、取付アダプタ７を使用する場合は、その取付方向を反転させることにより、取付構造を異にする複数種類のキースイッチの取り付けが可能であり（第１及び第２の態様）、更に、取付アダプタ７を使用しない場合でも、取付構造を異にする複数種類のキースイッチの取り付けが可能であり（第３乃至５の態様）、取付構造を異にする多種類のキースイッチの取り付けが可能である。
【図面の簡単な説明】
【００２６】
【図１】この発明の集合玄関機を構成するカバー及び本体の分解斜視図である。
【図２】同上のカバーの背面図である。
【図３】同上の第１の態様におけるカバー及びキースイッチの分解斜視図である。
【図４】同上のキースイッチが取り付けられた状態における背面斜視図である。
【図５】同上の第２の態様における図３に相当する図である。
【図６】同上の第２の態様における図４に相当する図である。
【図７】同上の第３の態様における図３に相当する図である。
【図８】同上の第３の態様における図４に相当する図である。
【図９】同上の第４の態様における図３に相当する図である。
【図１０】同上の第４の態様における図４に相当する図である。
【図１１】同上の第５の態様におけるカバー、キースイッチ及び本体の分解斜視図である。
【図１２】同上の第５の態様におけるキースイッチが取り付けられた状態のキースイッチ取付部分のカバー及び本体を含む一部拡大縦断面図である。
【図１３】同上の第５の態様におけるキースイッチが取り付けられた状態の本体の背面斜視図である。
【符号の説明】
【００２７】
１      集合玄関機カバー
２      テンキー装置
３      スピーカボックス
４      本体
５      キートップ部
６      キースイッチ用開孔部
７      取付アダプタ
７ａ    脚部
７ｃ    天板部
７ｄ    中央開孔部
８      固定片
１０    キースイッチ（第１の態様）
２０    キースイッチ（第２の態様）
３０    キースイッチ（第３の態様）
４０    キースイッチ（第４の態様）
５０    キースイッチ（第５の態様）
１００  集合玄関機
【図１】
2006283411.tif 000003
【図２】
2006283411.tif 000004
【図３】
2006283411.tif 000005
【図４】
2006283411.tif 000006
【図５】
2006283411.tif 000007
【図６】
2006283411.tif 000008
【図７】
2006283411.tif 000009
【図８】
2006283411.tif 000010
【図９】
2006283411.tif 000011
【図１０】
2006283411.tif 000012
【図１１】
2006283411.tif 000013
【図１２】
2006283411.tif 000014
【図１３】
2006283411.tif 000015